(57)【要約】【課題】車室に装備される温冷蔵庫において、車両の加速時や制動時の前後加速度に伴う揺れより、庫内の収納物がうるさくガタ付くのを防止できるようにする。【解決手段】１対の縦壁１６ａ，１６ｂおよび１対の横壁１７ａ，１７ｂ、これらに囲まれる収納空間２０の底壁１８、収納空間２０を上向きに開放する開口部３３を開閉する蓋部１５、を備えてなり、収納空間２０の底壁１８に最深部２６を残しつつ底壁の矩形平面の縦方向へ延びるように形成される棚面２５、最深部２６に寝かされる缶や瓶のガタ付きを抑える手段として棚面２５の一側から最深部２６へ下る傾斜面２７、棚面２５に寝かされる大型ペットボトルまたは最深部２６の缶や瓶に重ねられる缶や瓶のガタ付きを抑える手段として棚面２５の他側から一方の縦壁１６ａへ上る傾斜面２８、を備える。【選択図】図５
2005257124.tif 000002
【特許請求の範囲】
【請求項１】
車室に装備される温冷蔵庫において、車両の前後方向に面する１対の縦壁、車両の左右方向に面する１対の横壁、これらに囲まれる収納空間の底壁、収納空間を上向きに開放する開口部を開閉する蓋部、空調ユニットから送風される冷気または暖気の収納空間への導入部、収納空間の熱を吸収する冷気または収納空間に熱を放出する暖気の空調ユニットへの導出部、を備えてなり、収納空間の底壁に最深部を残しつつ底壁の矩形平面の縦方向へ延びるように形成される棚面、最深部に寝かされる缶や瓶のガタ付きを抑える手段として棚面の一側から最深部へ下る傾斜面、棚面に寝かされる大型ペットボトルまたは最深部の缶や瓶に重ねられる缶や瓶のガタ付きを抑える手段として棚面の他側から一方の縦壁へ上る傾斜面、を備えることを特徴とする車両用の温冷蔵庫。
【請求項２】
１対の横壁の一方に冷気または暖気の収納空間への導入部が開口され、その開口と棚面に寝かされる大型ペットボトルの底との間に空隙を確保するべく横壁から所定寸法だけ離れる位置に大型ペットボトルの底面を係止するための凸面を備えることを特徴とする請求項１に係る車両用の温冷蔵庫。
【請求項３】
棚面は最深部へ陥没する局部的な空隙を形成するための凹部を備えることを特徴とする請求項１に係る車両用の温冷蔵庫。
【請求項４】
車両の前後方向に面する１対の縦壁、車両の左右方向に面する１対の横壁、これらに囲まれる収納空間の底壁、は一体に成形されることを特徴とする請求項１または請求項２または請求項３に係る車両用の温冷蔵庫。
【請求項５】
蓋の内面は、１対の縦壁および１対の横壁に囲まれる収納空間の開口部を気密的に塞ぐ封止部の内側に大型ペットボトルとの空隙を確保するための凹部を備えること特徴とする請求項１に係る車両用の温冷蔵庫。
【請求項６】
蓋の外面は、盆状に浅く窪む載置面を備えることを特徴とする請求項１に係る車両用の温冷蔵庫。
【発明の詳細な説明】
【技術分野】
【０００１】
この発明は、車室に装備される温冷蔵庫に関する。
【背景技術】
【０００２】
車両の居住環境を高めるためのひとつとして、車室に温冷蔵庫を装備する例が見られる。温冷蔵庫は、トラックなど商用車の場合、運転席の脇に組み付けることが考えられる。
【発明の開示】
【発明が解決しようとする課題】
【０００３】
このような温冷蔵庫については、その内部空間（収納容積）を形成する６面が概ね平面から構成される。そのため、市販の缶入りや瓶入りの飲物およびペットボトル入りの飲物などは、整然と隙間なく収納しえない場合がよくあり、車両の加速時や制動時に庫内の収納物がうるさくガタ付くことが考えられる。
【０００４】
特許文献１には、定形の飲料缶がガタ付くのを抑えるため、庫内の収納空間を飲料缶の保持区画に仕切るホルダを備えるものが開示される。ホルダは、温冷蔵庫の付属品となり、温冷蔵庫のコストを高めるばかりでなく、庫内の収納空間を定形の保持区画を仕切るので、定形外のドリンク容器に使い勝手が悪く、不使用時は何かと邪魔になりやすい。なお、特許文献２には、車室の適宜な場所に設置される備品としてドリンク缶を起立状態に保持するための温冷蔵用ホルダが開示される。
【０００５】
この発明は、車両用の温冷蔵庫において、庫内の収納物がガタ付くの安価に抑えうる有効な手段の提供を目的とする。併せて、使いやすく、機能性に優れ、狭い運転室の邪魔にならない、合理的な温冷蔵庫の提供を実現しようとするものである。
【特許文献１】特開２００１−０１８６３１号
【特許文献２】特開２００２−１４７９１８号
【課題を解決するための手段】
【０００６】
第１の発明は、車室に装備される温冷蔵庫において、車両の前後方向に面する１対の縦壁、車両の左右方向に面する１対の横壁、これらに囲まれる収納空間の底壁、収納空間を上向きに開放する開口部を開閉する蓋部、空調ユニットから送風される冷気または暖気の収納空間への導入部、収納空間の熱を吸収する冷気または収納空間に熱を放出する暖気の空調ユニットへの導出部、を備えてなり、収納空間の底壁に最深部を残しつつ底壁の矩形平面の縦方向へ延びるように形成される棚面、最深部に寝かされる缶や瓶のガタ付きを抑える手段として棚面の一側から最深部へ下る傾斜面、棚面に寝かされる大型ペットボトルまたは最深部の缶や瓶に重ねられる缶や瓶のガタ付きを抑える手段として棚面の他側から一方の縦壁へ上る傾斜面、を備えることを特徴とする。
【０００７】
第２の発明は、第１の発明に係る温冷蔵庫において、１対の横壁の一方に冷気または暖気の収納空間への導入部が開口され、その開口と棚面に寝かされる大型ペットボトルの底との間に空隙を確保するべく横壁から所定寸法だけ離れる位置に大型ペットボトルの底面を係止するための凸面を備えることを特徴とする。
【０００８】
第３の発明は、第１の発明に係る温冷蔵庫において、棚面は最深部へ陥没する局部的な空隙を形成するための凹部を備えることを特徴とする。
【０００９】
第４の発明は、第１の発明または第２の発明または第３の発明に係る温冷蔵庫において、車両の前後方向に面する１対の縦壁、車両の左右方向に面する１対の横壁、これらに囲まれる収納空間の底壁、は一体に成形されることを特徴とする。
【００１０】
第５の発明は、第１の発明に係る温冷蔵庫において、蓋の内面は、１対の縦壁および１対の横壁に囲まれる収納空間の開口部を気密的に塞ぐ封止部の内側に大型ペットボトルとの空隙を確保するための凹部を備えること特徴とする。
【００１１】
第６の発明は、第１の発明に係る温冷蔵庫において、蓋の外面は、盆状に浅く窪む載置面を備えることを特徴とする。
【発明の効果】
【００１２】
第１の発明においては、市販の大型ペットボトル入りの飲物などは、底壁の棚面に寝かした状態に収納される。市販の缶入りや瓶入りの飲物などは、最深部に寝かした状態さらにその上へ重ねた状態に収納される。車両の加速時や制動時の前後加速度に対しては、棚面の一側から最深部へ下る傾斜面により、最深部に寝かした状態の缶入りや瓶入りの飲物などのガタ付きが抑えられ、棚面の他側から一方の縦壁へ上る傾斜面により、最深部の缶や瓶に重ねた状態の缶や瓶のガタ付きまたは棚面に寝かした状態に収納される大型ペットボトルのガタ付きが抑えられるのである。これら収納物は、空調ユニットから収納空間に導入される冷気または暖気により冷却または加温される。収納空間から熱を吸収する冷気または熱を放出する暖気は、収納空間から空調ユニットへ導出され、冷気または暖気に再生される。収納物が大型ペットボトルの場合、最深部は空隙となり、そこを流れる冷気または暖気により、棚面に寝かした大型ペットボトルを効率よく冷却または加温しえる。
【００１３】
第２の発明においては、棚面に寝かした状態に収納される大型ペットボトルの底面は凸面に係止され、導入部の開口と大型ペットボトルの底との間に空隙が確保されるので、空調ユニットから収納空間への冷気または暖気の導入が妨げられることもなくなり、大型ペットボトルを常に効率よく冷却または加温しえるのである。
【００１４】
第３の発明においては、棚面の局部的な凹部の内側が最深部に陥没する空隙となり、そこを流れる冷気または暖気により、大型ペットボトルを効率よく冷却または加温しえる。
【００１５】
第４の発明においては、１対の縦壁と１対の横壁とこれらに囲まれる収納空間の底壁と、は一体に成形のため、コストを低く抑えられる。例えば、射出成型の場合、底壁の棚面や２種の傾斜面、大型ペットボトルの底面を係止するための凸面、棚面の局部的な凹部、についても、型抜きが支障なく行える形状に造られるのである。
【００１６】
第５の発明においては、蓋に形成の凹部により、蓋と大型ペットボトルとの間に空隙が形成され、そこを流れる冷気や暖気により、大型ペットボトルを効率よく冷却または加温しえる。
【００１７】
第６の発明においては、盆状の浅く窪む載置面により、閉じ状態の蓋を食卓などに利用可能となる。つまり、蓋に食卓などの機能が与えられるのである。
【発明を実施するための最良の形態】
【００１８】
図１は、運転席の脇に配置されるコンソールの一部を表すものであり、その後部に温冷蔵庫１０が組み付けられる。図１において、１１は各種スイッチ類の配列されるコントロールパネル部、１２はカップホルダ部である。
【００１９】
温冷蔵庫１０は、庫内の収納空間と、その収納空間を上向きに開放する開口部（開口縁）を開閉する蓋１５と、を備える。庫内の収納空間は、図２および図３のように車両の前後方向に面する１対の縦壁１６ａ，１６ｂと、車両の左右方向に面する１対の横壁１７ａ，１７ｂと、これらに囲まれる空間の底壁１８と、から構成される。
【００２０】
図示しないが、空調ユニットから送風される冷気または暖気を庫内の収納空間２０へ導入するダクトと、収納空間２０の熱を吸収する冷気または収納空間２０に熱を放出する暖気を空調ユニットへ導出するダクトと、が備えられる。これらダクトは、コンソール１４の内部に這わされるのである。
【００２１】
図２において、１９は導出側ダクトに接続される出口部（開口）であり、縦壁１６ａの一端側に設けられる。導入側ダクトに接続される入口部２１（開口）は、１対の横壁１７ａ，１７ｂの一方、出口部１９から遠く離れる側の横壁１７ｂに設けられる（図４、参照）。
【００２２】
１対の縦壁１６ａ，１６ｂおよび１対の横壁１７ａ，１７ｂに囲まれる空間２０の底壁１８は、大型ペットボトルを寝かした状態に載置可能な棚面２５が最深部２６を残しつつ平面矩形の底壁１８の縦（長手）方向へ延びるように形成される。また、最深部２６に寝かされる缶や瓶のガタ付きを抑える手段として棚面２５の一側から最深部２６へ下る傾斜面２７と、棚面２５に寝かされる大型ペットボトルまたは最深部２６（および傾斜面２７）の缶や瓶に重ねられる缶や瓶のガタ付きを抑える手段として棚面２５の他側から一方の縦壁１６ａへ上る傾斜面２８と、が備えられるのである。
【００２３】
棚面２５は、最深部２６へ陥没する局部的な空隙を形成するための凹部２９（図２、参照）が４つ所定間隔に設けられる。冷気または暖気の入口部２１と棚面２５に寝かされる大型ペットボトルの底との間に空隙を確保するべく横壁から所定寸法だけ離れる位置に大型ペットボトルの底面を係止するための凸面３０（図５の仮想線）が設けられる。凸面３０を形成する隆起部３１は、最深部２６から傾斜面２７と反対側の縦壁１６ｂへ斜めに立ち上がるように形成される。
【００２４】
蓋１５は収納空間２０の開口縁３３（開口部）にヒンジ（図示せず）を介して車両の前後方向へ開閉（回動）可能に取り付けられる。蓋１５を閉じ状態に保持する機構として開口縁３３側に係止部３４が設けられ、これに係脱可能なフック３５が蓋１５側に組み付けられる。図３において、３７は蓋１５側のヒンジ取付部、３６は開口縁部３３側のヒンジ取付部である。
【００２５】
開口縁３３の外側に垂れ壁３８が延長され、コンソール１４へ組み付けるためのフランジ３９（図２、参照）が形成される。垂れ壁３８は、コンソール１４への組付状態において、コンソール１４の外形（外面）の一部分を構成する。
１対の縦壁１６ａ，１６ｂと１対の横壁１７ａ，１７ｂとこれらに囲まれる空間２０の底壁１８については、開口縁３３および垂れ壁３８を含めて一体に成形される。具体的には、合成樹脂の射出成型により、１つ部品に構成され、棚面２５、収納物のガタ付きを抑える傾斜面２７，２８、凸面３０を備える隆起部３１、などについても、型抜きを支障なく行える形状に造られるのである。
【００２６】
蓋１５の内面は、収納空間２０の開口縁３３を気密的に塞ぐ封止部４０の内側が大型ペットボトルとの空隙を確保するための凹部４１（封止部４０に囲まれる空間）に形成される。封止部４０は、開口縁３３との間で気体の出入りを規制する３重の囲いになっている（図５、参照）。蓋１５の凹部４１により、閉じ状態において、棚面２５に寝かされる大型ペットボトルとの間に空隙が形成され、そこを流れる冷気や暖気により、大型ペットボトルを効率よく冷却または加温しえるのである。
【００２７】
蓋１５の外面は、食卓などに利用可能となるよう、図５のように盆状に浅く窪む載置面４２に形成される。蓋１５についても、合成樹脂の射出成型により一体に成形され、フックおよびその係脱機構が後付される。図４において、４３ａ，４３ｂは床面側に温冷蔵庫を支持する手段の一部を構成する脚柱であり、床面に達する長い脚のもの４３ａと、床面側の部材に載せられる短い脚のもの４３ｂと、が棚面２５の裏側に配置される。
【００２８】
このような構成により、市販の大型ペットボトル入り飲料などは、底壁１８の棚面２５に寝かした状態に収納される。市販の缶入り飲料や瓶入り飲料などは、最深部２６（および傾斜面２７）に寝かした状態さらにその上へ重ねた状態に収納される。車両の加速時や制動時の前後加速度（車体の前後方向の揺れ）に対しては、棚面２５の一側から最深部２６へ下る傾斜面２７により、最深部２６（および傾斜面２７）に寝かした状態の缶入り飲料や瓶入り飲料などのガタ付きが抑えられ、棚面２５の他側から一方の縦壁１６ａへ上る傾斜面２８により、最深部２６（および傾斜面２７）の缶や瓶に重ねられる同種の缶や瓶のガタ付きまたは棚面２５に寝かした状態に収納される大型ペットボトルのガタ付きが抑えられるのである。
【００２９】
これら収納物は、空調ユニットから収納空間２０に導入される冷気または暖気により冷却または加温される。収納空間２０から熱を吸収する冷気または熱を放出する暖気は、収納空間２０から空調ユニットへ導出され、冷気または暖気に再生される。
【００３０】
収納物が大型ペットボトルの場合、最深部２６は空隙となり、そこを流れる冷気または暖気により、棚面２５に寝かした大型ペットボトルを効率よく冷却または加温しえる。棚面に寝かした状態に収納される大型ペットボトルの底面は凸面３０に係止され、横壁１７ｂの入口部２１と大型ペットボトルの底との間に空隙が確保され、空調ユニットから収納空間２０への冷気または暖気の導入が妨げられることもなくなり、大型ペットボトルを常に効率よく冷却または加温しえる。また、棚面２５の局部的な凹部２９の内側が最深部２６に陥没する空隙となり、そこを流れる冷気または暖気により、大型ペットボトルを効率よく冷却または加温しえる。図２において、４５は大型ペットボトルを収納する際の向きを表示するマークである。
【図面の簡単な説明】
【００３１】
【図１】この発明の実施形態に係るコンソールの斜視図である。
【図２】同じく温冷蔵庫の内部を表す斜視図である。
【図３】同じく蓋の開放状態における温冷蔵庫の斜視図である。
【図４】同じく図２のＳＡ−ＳＡ断面図である。
【図５】同じく図２のＳＢ−ＳＢ断面図である。
【符号の説明】
【００３２】
１０  温冷蔵庫
１４  コンソール
１５  蓋
１６ａ，１６ｂ  縦壁
１７ａ，１７ｂ  横壁
１８  底壁
１９  冷気または暖気の出口部
２０  収納空間
２１  冷気または暖気の入口部
２５  棚面
２６  最深部
２７，２８  傾斜面
２９  凹部
３０  凸面
３１  隆起部
４０  封止部
４１  凹部
４２  載置面
【図１】
2005257124.tif 000003
【図２】
2005257124.tif 000004
【図３】
2005257124.tif 000005
【図４】
2005257124.tif 000006
【図５】
2005257124.tif 000007